(57)【要約】      （修正有）【課題】複雑且つ高価な構造を備えていなくとも、誰でも簡単に優れた写真を撮ることができるストロボ内蔵カメラを提供する。【解決手段】筐体１１と、筐体１１の正面に設けられ、被写体から反射した光を受光する撮影レンズ１２と、筐体１１の上面に設けられ、撮影レンズ１２の受光面に対して直交する光出射面を備える上面ストロボと、を有する。【選択図】図１
2017198734.tif 000002
【特許請求の範囲】
【請求項１】
筐体と、
前記筐体の正面に設けられ、被写体から反射した光を受光する撮影レンズと、
前記筐体の上面に設けられ、前記撮影レンズの受光面に対して直交する光出射面を備える上面ストロボと、を有するストロボ内蔵カメラ。
【請求項２】
前記上面ストロボは、ストロボ光を透過するストロボ窓、及び前記ストロボ窓の露出／遮蔽を行う蓋体を有し、
前記蓋体の少なくとも１つの面はストロボ光を反射する請求項１に記載のストロボ内蔵カメラ。
【請求項３】
前記蓋体を回動自在に支持する蝶番を更に有し、
前記蓋体の前記ストロボ窓と対向する面はストロボ光を反射する請求項２に記載のストロボ内蔵カメラ。
【請求項４】
前記撮影レンズの受光面と平行に配置された光出射面を備える正面ストロボと、
前記正面ストロボの発光量と、前記上面ストロボの発光量との比率を制御する発光制御手段と、を有する請求項１乃至３のいずれか１項に記載のストロボ内蔵カメラ。
【請求項５】
前記正面ストロボ及び前記上面ストロボは、共通する発光源を備える請求項１乃至４のいずれか１項に記載のストロボ内蔵カメラ。
【請求項６】
前記正面ストロボ及び前記上面ストロボのそれぞれは、互いに独立した発光源を備える請求項１乃至４のいずれか１項に記載のストロボ内蔵カメラ。
【発明の詳細な説明】
【技術分野】
【０００１】
本発明は、ストロボを内蔵するストロボ内蔵カメラに関する。
【背景技術】
【０００２】
従来から、デジタルカメラには内蔵ストロボが設けられてきた。これは、被写体が暗い場合に、当該デジタルカメラの使用者がシャッターボタンを押すと、自動的に或いは事前の操作設定によって内蔵ストロボが起動し、ストロボ発光窓から光が被写体に向って放射されることになる。例えば、特許文献１には、ストロボを内蔵したストロボ内蔵カメラが開示されている。
【先行技術文献】
【特許文献】
【０００３】
【特許文献１】特開２００７−３３７１５号公報
【発明の概要】
【発明が解決しようとする課題】
【０００４】
しかしながら、ストロボ内蔵カメラと被写体との間にテーブル等の種々の物体が存在している場合、当該物体がストロボ光を浴びてしまい、撮像された写真では本来明るくすべき被写体が暗くなってしまう。一方、ストロボ内蔵カメラと被写体との間に存在する当該物体には比較的に強い光が照射されてしまい、当該物体は撮像された写真では真っ白になってしまい、当該物体を認識することが困難になる。すなわち、撮像された写真は、本来の被写体が暗くて認識しづらいだけでなく、被写体の周囲の物体が真白くなってしまい、非常に出来の悪いものになってしまう。
【０００５】
特に、被写体及びその周囲に存在する物体によって反射したストロボ光を受光及び評価して、当該評価結果に応じてストロボの発光量及びＩＳＯ感度を調整する機能を備えるカメラにおいては、上述した問題が顕著に生じ、被写体が真っ暗な写真になってしまう。これは、被写体に到達するストロボ光量が少ない場合であっても、被写体よりも手間に存在する物体からの反射光を受光してしまい、ストロボ光が十分に届いていると判断されてしまうためである。
【０００６】
本発明はこのような課題に鑑みてなされたものであり、その目的とするところは、特殊且つ高価な構造を備えることなく、誰でも簡単に優れた写真を撮ることができるストロボ内蔵カメラを提供することにある。
【課題を解決するための手段】
【０００７】
上述した目的を達成するため、本発明のストロボ内蔵カメラは、筐体と、前記筐体の正面に設けられ、被写体から反射した光を受光する撮影レンズと、前記筐体の上面に設けられ、前記撮影レンズの受光面に対して直交する光出射面を備える上面ストロボと、を有する。
【０００８】
本発明においては、ストロボ内蔵カメラの筐体の上面からストロボ光を出射することになるため、ストロボ内蔵カメラと被写体との間に存在する物体の影響を受けることなく、被写体の上方にストロボ光を効率よく照射することができる。従って、特殊且つ高価な構造が用いられていなくとも、誰でも簡単に優れた写真を撮ることができる。
【０００９】
上述したストロボ内蔵カメラにおいては、前記上面ストロボは、ストロボ光を透過するストロボ窓、及び前記ストロボ窓の露出／遮蔽を行う蓋体を有し、前記蓋体の少なくとも１つの面はストロボ光を反射してもよい。この場合において、前記蓋体を回動自在に支持する蝶番を更に有し、前記蓋体の前記ストロボ窓と対向する面はストロボ光を反射してもよい。これらの場合においては、ストロボ内蔵カメラの後方に出射される光を被写体に向けて放射することができ、被写体に向けた効率よくストロボ光を照射することができる。
【００１０】
上述したストロボ内蔵カメラのいずれかにおいて、前記撮影レンズの受光面と平行に配置された光出射面を備える正面ストロボと、前記正面ストロボの発光量と、前記上面ストロボの発光量との比率を制御する発光制御手段と、を有してもよい。これにより、正面ストロボの発光量と上部ストロボの発光量との比率を自在に変更することができるため、被写体の形状及び特性、並びに被写体の周囲の環境に応じて最適なストロボ光の照射を容易に行うことができる。
【００１１】
上述したストロボ内蔵カメラのいずれかにおいて、前記正面ストロボ及び前記上部ストロボは、共通する発光源を備えていてもよく、互いに独立した発光源を備えていてもよい。これにより、部品数の削減によりコスト低減を図ること、又はストロボごとに発光量及び色温度等の調整を図ることができる。
【発明の効果】
【００１２】
本発明によれば、特殊且つ高価な構造を備えていなくとも、誰でも簡単に優れた写真を撮ることができる。
【図面の簡単な説明】
【００１３】
【図１】実施例１に係るストロボ内蔵カメラの斜視図である。
【図２】実施例１に係るストロボ内蔵カメラの側面図である。
【図３】実施例１に係るストロボ内蔵カメラのストロボ使用時における側面図である。
【図４】実施例２に係るストロボ内蔵カメラの斜視図である。
【図５】実施例２に係るストロボ内蔵カメラの側面図である。
【図６】実施例２に係るストロボ内蔵カメラのストロボの概略構成図である。
【発明を実施するための形態】
【００１４】
以下、図面を参照しながら、本発明のストロボ内蔵カメラの好適な実施例を詳細に説明する。なお、本発明は以下に説明する内容に限定されるものではなく、その要旨を変更しない範囲において任意に変更して実施することが可能である。また、各実施例の説明に用いる図面は、いずれも本発明に係るストロボ内蔵カメラを模式的に示すものであって、理解を深めるべく部分的な強調、拡大、縮小、又は省略等を行っており、各構成部分の縮尺や形状等を正確に表すものとはなっていない場合がある。更に、各実施例で用いる様々な数値は、いずれも一例を示すものであり、必要に応じて様々に変更することが可能である。
【００１５】
＜実施例１＞
先ず、図１乃至図３を参照しつつ、本発明の一実施形態であるストロボ内蔵カメラ１０の構造について説明する。ここで、図１は、本実施例に係るストロボ内蔵カメラ１０の斜視図である。また、図２は、本実施例に係るストロボ内蔵カメラ１０の側面図である。更に、図３は、本実施例に係るストロボ内蔵カメラ１０のストロボ使用時における側面図である。
【００１６】
本実施例に係るストロボ内蔵カメラ１０は、図１乃至図３からわかるように、直方体状の筐体１１に各種の機能部品が設けられている。具体的に、ストロボ内蔵カメラ１０は、筐体１１の第１の面１１ａ（すなわち、正面）側に撮影レンズ１２を有している。また、ストロボ内蔵カメラ１０は、筐体１１の第２の面１１ｂ（すなわち、上面）側に、後述する上面ストロボ窓を遮蔽する蓋体１３、及び当該蓋体１３を回動自在に支持する蝶番１４を有している。更に、ストロボ内蔵カメラ１０は、第２の面１１ｂ側に電源ボタン１５、及びシャッターボタン１６を有している。
【００１７】
なお、図示しないものの、筐体１１の背面（すなわち、第１の面１１ａの反対側の面）には、モニター、各種のメニューボタン、及び各種の機能スイッチが設けられている（いずれも図示せず）。また、筐体１１の第１の面１１ａには光学ファインダ窓が設けられていてもよく、筐体１１の背面には光学ファインダが設けられていてもよい。
【００１８】
本実施例においては、薄板状の筐体１１が使用され、一般的な薄型タイプのコンパクトデジタルカメラが構成されているが、筐体１１の形状は一眼レフ等の比較的に大型のカメラを構成してもよい。また、電源ボタン１５は、ストロボ内蔵カメラ１０の電源のオン／オフごとに操作するためのボタンである。また、シャッターボタン１６は、ストロボ内蔵カメラ１０が撮影モード時において、撮影を開始するためのボタンである。更に、シャッターボタン１６は、モニターに表示された各種のメニューの確定及び実行をするためボタンとしても機能する。
【００１９】
撮影レンズ１２は、被写体から反射した光を受光するためレンズであり、公知のカメラ用のレンズである。本実施例においては、撮影レンズ１２が筐体１１から突出するようにもうけられているが、筐体１１内に内蔵されてもよい。筐体１１内に撮影レンズ１２が内蔵される場合には、電源ボタン１５によるオン状態への移行時に、撮影レンズ１２を覆うシャッターが開き、撮影レンズ１２が外部に露出するような構造であってもよい。
【００２０】
図２及び図３に示すように、蝶番１４は蓋体１３の一端側（ストロボ内蔵カメラ１０の背面側）に設けられており、蓋体１３が当該蝶番１４を基点として４５度回動する。これにより、ストロボ使用時においては、蓋体１３が回動して起立した状態となり、筐体１１の第２の面１１ｂには上部ストロボ窓１７が露出することになる。筐体１１の内部にはストロボ光源２１が設けられており、当該ストロボ光源２１からストロボ光が出射され、上部ストロボ窓１７を透過して筐体１１の外部に出射されることになる。ストロボ光源２１としては、例えば、キセノンランプ等の一般的な光源を使用することができるが、ＬＥＤ光源を使用してもよい。
【００２１】
また、上部ストロボ窓１７に対向する蓋体１３の表面（すなわち、筐体１１の内側に配設される蓋体１３の表面）には、反射板の設置又は鏡面加工が施されている。これにより、ストロボ使用時である蓋体１３の起立時においては、ストロボ内蔵カメラ１０の後方に向けて出射される光は、蓋体１３によって反射され、ストロボ内蔵カメラ１０の前方に向けて進むことになる。すなわち、ストロボ内蔵カメラ１０から出射されるストロボ光は、蓋体１３によって反射されることなくストロボ内蔵カメラ１０の前方に向けて進む第１ストロボ光Ａと、蓋体１３によって反射することによってストロボ内蔵カメラ１０の前方に向けて進む第２ストロボ光Ｂとから構成されることになる。このような蓋体１３の反射機能により、ストロボ内蔵カメラ１０の後方に出射されてしまう無駄な光がなくなり、被写体に向けてストロボ光を効率よく出射することが可能になる。
【００２２】
なお、本実施例においては、上部ストロボ窓１７及びストロボ光源２１から上部ストロボ３１が構成されている。従って、上部ストロボ３１は、筐体１１の上面に設けられ、且つ撮影レンズ１２の受光面に対して直交する光出射面（上部ストロボ窓１７）を備えることになる。
【００２３】
本実施例においては、上部ストロボ３１の発光量は、撮影レンズ１２によって受光する光量に応じて、筐体１１内部に設けられた制御装置（図示せず）によって自動的に調整されてもよい。また、筐体１１の表面に発光量調整ダイヤルを設け、ストロボ内蔵カメラ１０の操作者が、上部ストロボ３１の発光量を手動で決定してもよい。
【００２４】
本実施例に係るストロボ内蔵カメラ１０においては、筐体１１の第１の面１１ａにストロボ窓を設けることなく、第２の面１１ｂのみに上部ストロボ窓１７を設けている。これにより、被写体の正面に向けて直接的にストロボ光を照射することがなくなり、被写体の上方を明るくするようにストロボ光が照射されることになる。従って、ストロボ内蔵カメラ１０と被写体との間に存在する物体にストロボ光が照射されることがなくなり、当該物体によってストロボ光が反射してストロボ内蔵カメラ１０に戻ることもない。すなわち、撮像される写真において、当該物体による反射光の影響が生じることがなくなり、被写体が暗く且つ被写体の手前に存在する物体が白く光るような不出来な写真となることもない。特に、上部ストロボ３１の発光量を自動調整する場合であっても、ストロボ光が不十分であるにも関わらず、ストロボ光が十分に届いていると判断されることがなくなり、ストロボの発光量の調整をより優れた精度で行うことができる。
【００２５】
本実施例においては、ストロボ窓を設ける位置を上面に変更するということにより、従来において解決することができなった誰でも簡単に優れた写真を撮ることができるという課題を解決することが可能になる。また、特殊又は高価なストロボ装置等を必要としないため、ストロボ内蔵カメラ１０のコスト増加をもたらすことがなく、優れた写真を撮像することが可能となっている。
【００２６】
＜実施例２＞
次に、２つのストロボを有するストロボ内蔵カメラを実施例２として、図４乃至図６を参照しつつ説明する。ここで、図４は、本実施例に係るストロボ内蔵カメラ１００の斜視図である。また、図５は、本実施例に係るストロボ内蔵カメラ１００の側面図である。更に、図６は、本実施例に係るストロボ内蔵カメラ１００のストロボの概略構成図である。
【００２７】
本実施例に係るストロボ内蔵カメラ１００は、図４に示すように、直方体状の筐体１１１に各種の機能部品が設けられている。具体的に、ストロボ内蔵カメラ１００は、筐体１１１の第１の面１１１ａ（すなわち、正面）側に撮影レンズ１１２及び正面ストロボ窓１１３を有している。また、ストロボ内蔵カメラ１１０は、筐体１１１の第２の面１１１ｂ（すなわち、上面）側に電源ボタン１１５、シャッターボタン１１６、上部ストロボ窓１１７、及びストロボ光調整ダイヤル１１８を有している。
【００２８】
なお、図示しないものの、筐体１１１の背面（すなわち、第１の面１１１ａの反対側の面）には、モニター、光学ファインダ、各種のメニューボタン、及び各種の機能スイッチが設けられている。また、筐体１１１の第１の面１１１ａには光学ファインダ窓が設けられていてもよく、筐体１１１の背面には光学ファインダが設けられていてもよい。
【００２９】
本実施例においても、薄板状の筐体１１１が使用され、一般的な薄型タイプのコンパクトデジタルカメラが構成されているが、筐体１１１の形状は一眼レフ等の比較的に大型のカメラを構成してもよい。また、電源ボタン１１５は、ストロボ内蔵カメラ１１０の電源のオン／オフごとに操作するためのボタンである。また、シャッターボタン１１６は、ストロボ内蔵カメラ１０が撮影モード時において撮影を開始するためのボタンであるとともに、モニターに表示された各種のメニューの確定及び実行をするためボタンとしても機能する。
【００３０】
撮影レンズ１１２は、被写体から反射した光を受光するためレンズであり、公知のカメラ用のレンズである。本実施例においては、撮影レンズ１１２が筐体１１１から突出するようにもうけられているが、筐体１１１内に内蔵されてもよい。
【００３１】
図４及び図５から分かるように、正面ストロボ窓１１３は、撮影レンズ１１２と同様に、筐体１１１の第１の面１１１ａに設けられている。すなわち、正面ストロボ窓１１３は、撮影レンズ１１２の受光面と平行となるように配設されている。このため、正面ストロボ窓１１３は被写体と対向することになり、正面ストロボ窓１１３を透過して出射する正面ストロボ光Ｃは、被写体に向けて出射することになる。換言すると、正面ストロボ窓１１３は、当該被写体に向けて正面ストロボ光Ｃを出射するための光出射面として機能する。
【００３２】
一方、上部ストロボ窓１１７は、筐体１１１の第２の面１１１ｂに設けられているため、撮影レンズ１１２の受光面と直交するように配設されている。このため、上部ストロボ窓１１７は被写体と対向することはなく、上部ストロボ窓１１７を透過して出射する上部ストロボ光Ｄは、被写体の上方に向けて出射することになる。換言すると、上部ストロボ窓１１７は、正面ストロボ光Ｃの光出射面である正面ストロボ窓１１３に対して直交する光出射面として機能する。
【００３３】
図４及び図６から分かるように、本実施例に係るストロボ内蔵カメラ１１０の筐体１１１の内部には、正面ストロボ光Ｃ及び上部ストロボ光Ｄのストロボ光源１２１が設けられている。また、筐体１１１の内部には、ストロボ光源１２１から出射した光を正面ストロボ窓１１３及び上部ストロボ窓１１７に対して誘導する調光ミラー１２２が設けられている。更に、筐体１１１の内部には、調光ミラー１２２の反射率を制御する反射率制御部１２３が設けられている。そして、反射率制御部１２３は、筐体１１１の第２の面１１１ｂに設けられたストロボ光調整ダイヤル１１８と電気的に接続している。
【００３４】
本実施例においては、正面ストロボ窓１１３、調光ミラー１２２、ストロボ光源１２１から正面ストロボ１３１が構成され、上部ストロボ窓１１７、調光ミラー１２２、ストロボ光源１２１から上部ストロボ１３２が構成されている。すなわち、ストロボ光源１２１及び調光ミラー１２２は、正面ストロボ１３１と上部ストロボ１３２の共通構成部材となっている。そして、正面ストロボ１３１、上部ストロボ１３２、反射率制御部１２３、及びストロボ光調整ダイヤル１１８から、ストロボ内蔵カメラ１１０としてのストロボが構成されている。換言すると、本実施例に係るストロボ内蔵カメラ１１０は、被写体に向けて出射される正面ストロボ光Ｃの光量（正面ストロボの発光量）、及び被写体の上方に向けて出射される上部ストロボ光Ｄの光量（上部ストロボの発光量）の比率を制御するストロボが内蔵されていることになる。
【００３５】
ストロボ光源１２１としては、例えば、キセノンランプ等の一般的な光源を使用することができるが、ＬＥＤ光源を使用してもよい。また、ストロボ光源１２１には光源制御部（図示せず）が接続されており、ストロボ光源１２１から出射される発光量（すなわち、正面ストロボ光Ｃの光量と上部ストロボ光Ｄの光量との総和）を調整できるとともに、正面ストロボ光Ｃ及び上部ストロボ光Ｄの色温度を調整できるようにしてもよい。
【００３６】
調光ミラー１２２は、印加される電圧に応じて反射率が可逆的に変化する特性を有している。例えば、調光ミラー１２２には、公知のエレクトロミックが用いられる。このような調光ミラー１２２の特性により、ストロボ光源１２１から出射された光の一部は、調光ミラー１２２で反射して正面ストロボ光Ｃとして正面ストロボ窓１１３に誘導される。一方、ストロボ光源１２１から出射された光の残部は、調光ミラー１２２を透過して上部ストロボ光Ｄとして上部ストロボ窓１１７に誘導される。このような調光ミラー１２２により、正面ストロボ光Ｃの光量（すなわち、正面ストロボの発光量）と上部ストロボ光Ｄの光量（すなわち、上部ストロボの発光量）の比率を自在に変更することが可能になる。
【００３７】
反射率制御部１２３は、調光ミラー１２２に印加する電圧を変化させることにより、調光ミラー１２２の反射率を制御する。例えば、反射率制御部１２３は、一般的な電源回路及び演算回路から構成されてもよい。
【００３８】
ストロボ光調整ダイヤル１１８には、例えば、正面ストロボ光Ｃの光量と上部ストロボ光Ｄの光量との比率が印字されていてもよい。そして、ストロボ光調整ダイヤル１１８を所定方向（順方向）に回転させると、正面ストロボ光Ｃの光量が増加し且つ上部ストロボ光Ｄの光量が減少するが、ダイヤルを所定方向とは逆方向に回転させると、正面ストロボ光Ｃの光量が減少し且つ上部ストロボ光Ｄの光量が増加する構造となっていてもよい。
【００３９】
なお、ストロボ光調整ダイヤル１１８の設置箇所は上述した場所に限定されることなく、例えば、筐体１１１の第１の面１１１ａであってもよい。また、ストロボ光調整ダイヤル１１８に代えて、筐体１１１の背面に設けられたモニターに正面ストロボ光Ｃの光量と上部ストロボ光Ｄの光量との比率を表示し、各種の操作ボタンによって当該比率を変更できるようにしてもよい。
【００４０】
このようなストロボ内蔵カメラ１１０のストロボの構造により、ストロボ内蔵カメラ１１０の使用者がストロボ光調整ダイヤル１１８を操作すると、反射率制御部１２３は操作後のストロボ光調整ダイヤル１１８の状態に応じた反射率を算出し、当該反射率に対応した電圧を調光ミラー１２２に印加して、調光ミラー１２２の反射率を調整する。従って、本実施例においては、調光ミラー１２２、反射率制御部１２３、及びストロボ光調整ダイヤル１１８から発光制御手段１３３が構成されていることになる。
【００４１】
以上のように、本実施例に係るストロボ内蔵カメラ１１０においては、被写体に向けて発光する正面ストロボ１３１、及び上方に向けて発光する上部ストロボ１３２が設けられているものの、正面ストロボ１３１の発光量と上部ストロボ１３２の発光量との比率を自在に変更することができるため、被写体の正面に向けた正面ストロボ光Ｃの照射量を小さく調整しつつ、被写体の上方を明るくするように上部ストロボ光Ｄの照射量を多く調整することが可能になる。従って、ストロボ内蔵カメラ１１０と被写体との間に存在する物体に正面ストロボ光Ｃが照射されたとしても、当該物体による反射光の影響が低減されることになり、被写体の手前に存在する物体が白く光るような不出来な写真となることもない。一方、被写体の上方が明るくなるように上部ストロボ光Ｄの照射量を多くすることにより、被写体が暗くなることも防止することができる。
【００４２】
すなわち、本実施例においては、ストロボ窓を設ける位置として上面を追加しつつ、正面ストロボ光Ｃと上部ストロボ光Ｄとの照射量を調整可能とすることにより、従来において解決することができなった誰でも簡単に優れた写真を撮ることができるという課題を解決することが可能になる。また、特殊又は高価なストロボ装置等を必要としないため、ストロボ内蔵カメラ１００のコスト増加をもたらすことがなく、優れた写真を撮像することが可能となっている。
【００４３】
また、本実施例に係るストロボ内蔵カメラ１００においては、正面ストロボ１３１の発光量と上部ストロボ１３２の発光量との比率を自在に変更することができるため、被写体の形状及び特性、並びに被写体の周囲の環境に応じて最適なストロボ光の照射を容易に行うことができる。特に、ストロボ光調整ダイヤル１１８が筐体１１１の第２の面１１１ｂに設けられているため、撮影を行いながらも当該各ストロボの発光量を容易に調整することが可能になる。
【００４４】
更に、本実施例に係るストロボ内蔵カメラ１００においては、正面ストロボ１３１及び上部ストロボ１３２の光源が共通のストロボ光源１２１であるため、部品数が削減されており、コスト低減がなされている。ただし、正面ストロボ１３１及び上部ストロボ１３２毎に発光量及び色温度等を調整可能とするために、正面ストロボ１３１及び上部ストロボ１３２は互いに独立した光源を備えていてもよい。
【００４５】
なお、上述した発光制御手段により、正面ストロボ１３１の発光量と上部ストロボ１３２の発光量との比率を自在に変更することができるものの、ストロボ光によって被写体に生成される影の影響を低減するためにも、上部ストロボ１３２の発光量をできるかぎり多くすることが好ましい。例えば、ストロボ光源から出射される光を基準に、正面ストロボ１３１の発光量を２％、上部ストロボ１３２の発光量を９８％とすることが好ましい。従って、正面ストロボ１３１の発光量と上部ストロボ１３２の発光量との比率が自動設定されている場合や、カメラの初期設定については、正面ストロボ１３１の発光量を小さくし（例えば、５％以下）、上部ストロボ１３２の発光量を大きく（例えば、９５％以上）しておくことが好ましい。
【００４６】
また、本実施例においては、上部ストロボ窓１１７が常に露出している構造となっていたが、実施例１のような蓋体を設けてもよい。これにより、ストロボ内蔵カメラ１００の後方に放射される上部ストロボ光Ｄの一部を、ストロボ内蔵カメラ１００の正面側（すなわち、被写体）に向けて適格に放射することが可能となる。
【符号の説明】
【００４７】
１０    ストロボ内蔵カメラ
１１    筐体
１１ａ    第１の面
１１ｂ    第２の面
１２    撮影レンズ
１３    蓋体
１４    蝶番
１５    電源ボタン
１６    シャッターボタン
１７    上部ストロボ窓
２１    ストロボ光源（発光源）
３１    上部ストロボ
１１０    ストロボ内蔵カメラ
１１１    筐体
１１１ａ    第１の面
１１１ｂ    第２の面
１１２    撮影レンズ
１１３    正面ストロボ窓
１１５    電源ボタン
１１６    シャッターボタン
１１７    上部ストロボ窓
１１８    ストロボ光調整ダイヤル
１２１    ストロボ光源（発光源）
１２２    調光ミラー
１２３    反射率制御部
１３１    正面ストロボ
１３２    上部ストロボ
１３３    発光制御手段
【図１】
2017198734.tif 000003
【図２】
2017198734.tif 000004
【図３】
2017198734.tif 000005
【図４】
2017198734.tif 000006
【図５】
2017198734.tif 000007
【図６】
2017198734.tif 000008